(57)【特許請求の範囲】
【請求項１】
地盤に打設したベースコンクリートにあって、発泡プラスチック製外側壁板と、これに離間対向する発泡プラスチック製内側壁板とを、連結材により連装併設してなる捨て型枠が所要数だけ連設され、これらの捨て型枠内にコンクリートを打設することにより、土台周壁が形成され、当該土台周壁と、これに載設されて室部を区画形成する床構成部材とにより床下空間が囲成されている建造物において、上記捨て型枠における所望の各発泡プラスチック製内側壁板には、正特性サーミスタを設けると共に、これらの正特性サーミスタが電源に接続されるようにしたことを特徴とする建造物の床下暖房装置。
【請求項２】
地盤に打設したベースコンクリートにあって、発泡プラスチック製外側壁板と、これに離間対向する発泡プラスチック製内側壁板とを、連結材により連装併設してなる捨て型枠が所要数だけ連設され、これらの捨て型枠内にコンクリートを打設することにより、土台周壁が形成され、当該土台周壁と、これに載設されて室部を区画形成する床構成部材とにより床下空間が囲成されている建造物において、上記捨て型枠における所望の各発泡プラスチック製内側壁板には、正特性サーミスタを設けると共に、これらによる単位の正特性サーミスタが電源に対して並列に接続されたことを特徴とする建造物の床下暖房装置。
【請求項３】
正特性サーミスタが、発泡プラスチック製内側壁板における内側壁、天井壁、側壁の選定した一壁ないし全壁に設けられている請求項１または２に記載された建造物の床下暖房装置。
【請求項４】
発泡プラスチック製外側壁板と、これに離間対向する発泡プラスチック製内側壁板とが、連結材により連装併設され、当該発泡プラスチック製内側壁板には、正特性サーミスタが設けられていることを特徴とする建造物の床下暖房装置用の捨て型枠。
【発明の詳細な説明】
【０００１】
【発明の属する技術分野】
本発明は、家屋などの建造物にあって室部などを区画している床構成部材と、土台周壁とによって囲成されている床下空間につき、その温度が外気温により大きく低下してしまい、この結果、当該床下空間の低温と暖房された室部の温度差が大となることにより、床下構成部材に内部結露を起こし、これに基づき生ずる虫喰いや腐朽を防止するために提案された建造物床下暖房装置と、これに採択されることとなる発泡プラスチック製の捨て型枠に関するものである。
【０００２】
【従来の技術】
従来、建造物の暖房としては、床下構造部材としての床などに電気抵抗によるヒータを埋設したり、室部内へ太陽熱を利用して、熱風を供給するといった暖房装置に関しては、既に各種の提案がなされている。しかし、床下空間については、換気口を設けるなどして通気による湿気の排除が実施されているだけであり、また当該床下空間を昇温させようとする着想はあり得ても、これをどのように具体化するかについては、幾多の問題があるため、これまで実施されていない。
【０００３】
このため、特に寒冷地の場合にあっては、上掲室内温度と床下温度の差が大となり、これに伴う前記の内部結露が、木材の虫喰いや腐朽の大きな原因となっているのである。
【０００４】
【発明が解決しようとする課題】
本発明は上記の現況に鑑み、請求項１にあっては床下空間の温度が低下して来た際、これを昇温させるため、単にヒータに通電するといったものでは、その消費電力に対する昇温効率が悪く、従って、所期の目的を達成しにくいだけでなく、可成りの費用がかかることを踏まえ、先ず、最近採択されるようになって来た捨て型枠に注目し、これに熱源を設けるようにすると共に、当該熱源には正特性サーミスタ（Ｐｏｓｉｔｉｖｅ  Ｔｅｍｐｅｒａｔｕｒｅ  Ｃｏｅｆｆｉｃｉｅｎｔ  Ｔｈｅｒｍｉｓｔｏｒ）、すなわちＰＴＣヒータを採択し、かつ所要複数の当該正特性サーミスタを電源に接続するよう構成した。
【０００５】
本発明は、上記の如き構成をもたせることにより、コンクリート基礎の打設に際し、発泡プラスチック製の捨て型枠が、これを取り除くことなく、そのまま放置されることに着目し、高断熱性を有する当該発泡プラスチック製の捨て型枠に、熱源である正特性サーミスタを設けることで、当該熱源の発熱エネルギを効率よく床下空間の昇温に活用できるようにしている。さらに、電源にこれらの正特性サーミスタを接続しておくことで、外気の降温により当該正特性サーミスタの電気抵抗値が低下することで、自動的に通電による発熱を開始させるようにし、このことで、床下空間の温度と室部との温度差が過大となることを是正して、前掲内部結露の発生を阻止しようとしている。
【０００６】
さらに、請求項２にあっては、上記請求項１の構成にあって、電源に対し各正特性サーミスタを並列接続とすることで、床下空間中、所定の温度以下まで降温してしまった特定箇所に配設されている正特性サーミスタのみに、通電を開始して部分的な昇温ができるようにし、このことにより節電の点でも満足すべき結果が得られるようにして、実用的な価値の向上を図るようにしている。
【０００７】
そして、請求項３にあっては、上記請求項１または２の正特性サーミスタを、捨て型枠における発泡プラスチック製内側壁板における内側壁、天井壁、側壁のうち、その一壁ないし全壁に設けることで、床下空間温度の低温化を、より効果的に抑制しようとしており、さらに、請求項４の場合は、上記請求項１による建造物の床下暖房装置を構成するのに用いて好適な捨て型枠を提供しようとしている。
【０００８】
【課題を解決するための手段】
本願は上記の目的を達成するため請求項１にあっては、地盤に打設したベースコンクリートにあって、発泡プラスチック製外側壁板と、これに離間対向する発泡プラスチック製内側壁板とを、連結材により連装併設してなる捨て型枠が所要数だけ連設され、これらの捨て型枠内にコンクリートを打設することにより、土台周壁が形成され、当該土台周壁と、これに載設されて室部を区画形成する床構成部材とにより床下空間が囲成されている建造物において、上記捨て型枠における所望の各発泡プラスチック製内側壁板には、正特性サーミスタを設けると共に、これらの正特性サーミスタが電源に接続されるようにしたことを特徴とする建造物の床下暖房装置を提供しようとするものである。
【０００９】
次に請求項２では、請求項１における正特性サーミスタによる単位の正特性サーミスタが、電源に対して夫々並列に接続されている点が相違しているのであり、請求項３にあっては正特性サーミスタが、発泡プラスチック製内側壁板における内側壁、天井壁、側壁の選定した一壁ないし全壁に設けられていることを、その内容としている。
【００１０】
そして、請求項４では、発泡プラスチック製外側壁板と、これに離間対向する発泡プラスチック製内側壁板とが、連結材により連装併設され、当該発泡プラスチック製内側壁板には、正特性サーミスタが設けられていることを特徴とする建造物の床下暖房装置用の捨て型枠を提供しようとしている。
【００１１】
【発明の実施の形態】
本発明につき図面によって以下詳記すると、図１と図２によって詳記される通り、建造物１にあっては、地盤２に打設したベースコンクリート３上に、図１（Ｂ）に明示の如き捨て型枠４を所要多数だけ直列状に連装配設し、これらの捨て型枠４内にコンクリート５を打設することにより、当該建造物１の土台周壁６が形成されることになる。
【００１２】
さらに、これまた既知の如く上記の土台周壁６と、これに載設される室部７を区画形成する床構成部材８とによって、床下空間９が囲成されている。
【００１３】
ここで、上記した捨て型枠４とは、近年多用され既知であるように住宅等の建築に際し、土台周壁をコンクリートによって打設する際、木枠とか鉄板を組み立てた型枠などを使用するのでは、熟練を要求されたり、組み立てに際し時間と労力を要するだけでなく、コンクリートが固化した後に、木枠や型枠を取り外すのに可成りの手間がかかることから、これらの欠陥を解消するため提案されたものである。
【００１４】
そして、その構成は図１（Ｂ）と図２によって理解される通り、前記の如く予め地盤２に打設しておいたベースコンクリート２上にあって、その幅方向の各端に載置して使用されることとなる発泡プラスチック製外側壁板４ａと、これに離対向する発泡プラスチック製内側壁板４ｂとを、これらと直交状である１以上の連結材４ｃにより連装併設してなるものである。
【００１５】
さらに詳しくは、上記連結材４ｃをも発泡プラスチック製とし、接着剤により、これを発泡プラスチック製外側壁板４ａと発泡プラスチック製内側壁板４ｂとに接合固定したり、金属や合成樹脂による連結材４ｃに、図２の如く抜止部４ｄ、４ｅを設けて、当該連結材４ｃを夫々発泡プラスチック製外側壁板４ａと発泡プラスチック製内側壁板４ｂとに埋設固定することもできる。
【００１６】
実際上は、上記ベースコンクリート３からは縦筋３ａが立設され、さらにこれらの縦筋３ａに、所要本数の横筋３ｂが溶接された状態にて、常法により発泡プラスチック製外側壁板４ａと発泡プラスチック製内側壁板４ｂとの離間空所にコンクリート５を投入打設することで土台周壁６を形成するのであり、当該捨て型枠４によるときは、コンクリート５の打設が完了しても、これを取り除くことなく、そのまま放置されることとなる。尚、発泡プラスチックとしては、ポリウレタンにつき効果時に発生する炭酸ガスにより発泡させたものが多用されている。
【００１７】
本発明では上記の如く捨て型枠４を採択した建造物１にあって、その前記した発泡プラスチック製内側壁板４ｂ、すなわち床下空間９側にあって、正特性サーミスタ１０を設けるのであり、ここで土台周壁６を形成するためには、実際上多数の捨て型枠４が連設されることになるが、当該各捨て型枠４における夫々の正特性サーミスタ１０は、図１（Ａ）、図３により示されている通り、図示例では、商用電源としての交流である電源１１に対して、請求項２の如く並列に接続されているのである。
【００１８】
もちろん、請求項１の如く上記の正特性サーミスタ１０は、電源１１に対して、適宜に接続すればよいが、請求項２のように並列接続とする際にも、図１のように正特性サーミスタ１０の一個を単位として並列接続にする場合に限るものではなく、床下空間９の温度条件によっては、複数を直列に接続したものを単位の正特性サーミスタ１０として、これらを電源１１に並列接続するようにしてもよい。
ここで図１（Ａ）における１１ａは電源用スイッチを示している。
【００１９】
さらに、上記の正特性サーミスタ１０は、前記の如く発泡プラスチック製内側壁板４ｂに設ければよいが、望ましくは、その内側壁４ｆに設けるのが望ましく、その固定手段としては接着、ビス止め、そして図４（Ａ）に例示する如く、内側壁４ｆの表面に付設するのではなく、嵌合凹所４ｇを形成しておき、これに嵌合するようにしてもよい。
【００２０】
もちろん、発泡プラスチック製外側壁板４ａの天井壁４ｈとか側壁４ｉに、図４（Ｂ）（Ｃ）に例示の如く付設するようにしてもよく、また、これら内側壁４ｆ、天井壁４ｈ、側壁４ｉの一壁だけでなく、選定した二壁に付設したり、全壁に設けることもでき、図４にあって４ｊは天井壁４ｈに設けた正特性サーミスタ１０用の嵌合凹所を示し、図１、図３、図４の１１ｂは正特性サーミスタ１０のリード線である。
【００２１】
そして、正特性サーミスタ１０は、既知の如くチタン酸バリューム系セラミックス半導体抵抗器として実用化されており、材料組成によって設定することのできるスイッチング温度を持っていて、温度の上昇に伴い急激に、その電気抵抗値が増大する性質を有している。
本発明では、図５に例示する如く、正特性サーミスタ１０として、気温の低下に伴い次第に電気抵抗値が小さくなって行き、０℃に達すると電気抵抗値が急激に小さくなり、従って、正特性サーミスタ１０には、当該０℃にて可成りの電流が電源１１から流れ、これによる発熱にて床下図面９の温度が上昇することとなる。もちろん、逆に床下空間９が０℃よりも昇温状態となれば、殆ど電流は流れなくなり、従って実質的に発熱が零となる。
【００２２】
従って、請求項１に係る建造物の床下暖房装置によるときは、気温の変化により床下空間９の温度が、所定温度まで低下すると、自動的に正特性サーミスタ１０が通電により発熱するから、当該床下空間９を所定温度条件下に保持し、この結果、特に寒冷地などにあっても、室部７と床下空間９との温度差が所定温度以上となって、床構造部材８に結露が生ずるといったことを阻止することが効率的に実施し得ることになる。
【００２３】
しかも、この正特性サーミスタ１０は高断熱性に富んだ発泡プラスチック製の捨て型枠４に装着するようにしているから、別途特段の取付用部材を用いることもなく、効率のよい床下空間９の適時における降温が可能となり、この際、捨て型枠４の発泡プラスチック製内側壁板４ｂに対して、正特性サーミスタ１０が設けてあるので、正特性サーミスタ１０の発熱が外気によって、不本意に冷却されてしまうことなく、かつ、当該発熱により床下空間９を、直接昇温させることができる。
【００２４】
さらに、請求項２では請求項１の構成に対し、前記の如く多数の捨て型枠４につき、夫々の正特性サーミスタ１０を単独に、または複数を直列に接続したものを、夫々電源１１に対して並列に接続するようにし、このことで、床下空間９の全正特性サーミスタ１０が、一度に通電加熱されることなく、特に低温となった床下空間９における正特性サーミスタ１０が、選択的に通電加熱され、必要に応じ一定量だけの適切な通電加熱が実施されることから、節電の点でも満足すべき結果が得られる。
【００２５】
請求項３にあっては、上記の請求項１または請求項２にあって、正特性サーミスタ１０が、選択的に発泡プラスチック製内側壁板４ｂにおける内側壁４ｆ、天井壁４ｈ、側壁４の一壁ないし全壁に設けられることから、床下空間９の暖房に関し、各種の要請に対処することが可能となる。
【００２６】
請求項４にあっては、本願に係る建造物の床下暖房装置を構成しようとする際、これに用いて好適な捨て型枠４を提供しようとしており、前記の如く発泡プラスチック製外側壁板４ａと発泡プラスチック製内側壁板４ｂとを連結材４ｃにより連装併設し、上記の発泡プラスチック製内側壁板４ｂに、正特性サーミスタ１０が設けられているから、コンクリート５の打設に使用した後、これに設けられた正特性サーミスタ１０のリード線１１ｂを、電源１１に対して適宜接続する簡易な作業により、当該建造物の床下暖房装置を迅速に完成させることができることになる。
【００２７】
【発明の効果】
本発明は以上のようにして構成することができるから、請求項１によるときは、発泡プラスチック製の捨て型枠に着目し、これには正特性サーミスタを設け、かつ、当該正特性サーミスタに電源を接続することで、外気の寒冷条件下でも、建造物の床下空間を所望の温度に効率よく保つことができ、これにより室部と床下空間との温度差を、所定範囲内に制御できるから、床構成部材に結露を生じさせず、これにより木材等を虫喰いや腐朽による劣化から守ることが可能となる。
【００２８】
次に請求項２にあっては、上記請求項１の構成に加えて、単位の正特性サーミスタを、電源に対して並接するようにしたから、一度に全正特性サーミスタや多くの正特性サーミスタが、発熱するといったことなく、床下空間における特に低温となった箇所における正特性サーミスタだけが、部分的に通電加熱されるので、最小の電力消費により、最大の昇温効果を発揮させることができる。
【００２９】
請求項３では請求項１または２において、正特性サーミスタの付加位置を特定するようにしたことで、各種の要請に対応した構成をもたせることができ、これにより効果的な床下空間の昇温を行うことが可能となる。
【００３０】
請求項４の場合には、捨て型枠自体に、正特性サーミスタを適所にあって付設するようにしたので、当該捨て型枠を利用することで、建造物の床下暖房装置を迅速にして、かつ容易に構築することができる。
【図面の簡単な説明】
【図１】（Ａ）は本発明に係る建造物の床下暖房装置を示す略示平面説明図で、（Ｂ）は当該床下暖房装置に使用することができる捨て型枠の斜視図である。
【図２】図１の床下暖房装置における一部を示した縦断正面図である。
【図３】図１の捨て型枠によりコンクリートを打設後、正特性サーミスタを電源に接続した状態の一部を示す斜視図である。
【図４】捨て型枠における発泡プラスチック製内側壁板に、正特性サーミスタを取着した状態を示し、（Ａ）は内側壁に、（Ｂ）は天井壁に夫々取着した際の各縦断側面図、（Ｃ）は側壁に取着した際の側面図である。
【図５】正特性サーミスタに関し、環境温度に対する電気抵抗値の変化を示した特性図表である。
【符号の説明】
１    建造物
２    地盤
３    ベースコンクリート
４    捨て型枠
４ａ  発泡プラスチック製外側壁板
４ｂ  発泡プラスチック製内側壁板
４ｃ  連結材
４ｆ  内側壁
４ｈ  天井壁
４ｉ  側壁
５    コンクリート
６    土台周壁
７    室部
８    床構成部材
９    床下空間
１０    正特性サーミスタ
１１    電源
【図１】
0003631860.tif 000002
【図２】
0003631860.tif 000003
【図３】
0003631860.tif 000004
【図４】
0003631860.tif 000005
【図５】
0003631860.tif 000006